(57)【要約】      （修正有）【課題】取付ビスの紛失防止と使用者の操作性を両立することを可能にした光学装置を提供すること。【解決手段】光学装置１０１には、付属ユニットを取付可能な取付部１０２が設けられる。付属ユニットを光学装置１０１に取り付ける際には、取付ビスが用いられる。光学装置１０１には収納部１０３が設けられており、取付ビスを使わないときには収納部１０３に収納可能に構成される。収納部１０３の内部には、取付ビスを固定するための手段として、ビス穴や磁性体部材を設けることが可能である。収納部１０３はまた、光学装置１０１の筐体外装部に設けたビス穴とすることもできる。また、複数のビスを一体化してビス穴に固定し、固定したビスを、光学装置１０１を操作するための操作ピンとして用いることもできる。【選択図】図１
2016128857.tif 000002
【特許請求の範囲】
【請求項１】
付属ユニットを取付可能な光学装置において、
付属ユニットを取付けるための取付ビスを収納可能な収納部
を備えることを特徴とする光学装置。
【請求項２】
前述収納部は、光学装置の筺体内部に配置され、少なくとも前述ビスと同数を収納する空間を有し、前記筺体外部から前述ビスを収納可能であることを特徴とする請求項１に記載の光学装置。
【請求項３】
前述ビスを収納する空間は、前述ビスを空間内に固定するためにビス穴を設けたことを特徴とする請求項１又は請求項２に記載の光学装置。
【請求項４】
前述ビスを収納する空間は、前述ビスを空間内に固定するために磁性体部材を設けたことを特徴とする請求項１又は請求項２に記載の光学装置。
【請求項５】
前述収納部は、光学装置の筺体外装部にビス穴が形成され、少なくとも前述ビスと同数有していることを特徴とする請求項１に記載の光学装置。
【請求項６】
前述ビスは、複数のビスが一体化可能であり、光学装置を操作するための操作ピンであることを特徴とする請求項１乃至請求項５の何れか一項に記載の光学装置。
【発明の詳細な説明】
【技術分野】
【０００１】
本発明は、光学装置に関し、特に付属ユニットを取付可能な光学装置に関する。
【背景技術】
【０００２】
光学装置に付属ユニットを取り付けることで、光学装置の操作性を向上する手法が知られている。付属ユニットの一例として、駆動ユニットがあげられる。光学装置に駆動ユニットを取り付けることで、使用者が光学装置の操作を電動で行うことができる。
【０００３】
光学装置と駆動ユニットは別体であるため、駆動ユニットから光学装置へ動力を適切に伝えるためには、光学装置と駆動ユニットを精度よく当接する技術が必要になる。
【０００４】
特許文献１には、光学装置と駆動ユニットの取付精度向上のために、光学装置内部の鏡筒にビス穴を用意し、光学装置内部の鏡筒と駆動ユニットを、取付ビスによって直接固定する構造が開示されている。
【先行技術文献】
【特許文献】
【０００５】
【特許文献１】特開２０１１−１０７２７０号公報
【発明の概要】
【発明が解決しようとする課題】
【０００６】
しかしながら、上述の特許文献１に開示された従来技術では、使用者が付属ユニットを使用しない場合、取付ビスは光学装置から外すため、紛失する可能性がある。取付ビスを紛失しないように光学装置に取り付けておく場合、光学装置と付属ユニットの取付部は、光学装置の操作環と近接しているため、取付ビスが操作の邪魔になり、操作性が低下する。また、操作しない時であっても、持ち運びのために手に持った際に、取付ビスが持ち運びの邪魔である。
【０００７】
そこで、本発明の目的は、取付ビスの紛失防止と使用者の操作性を両立することを可能にした、付属ユニット取付可能で、取付ビス収納部を設けた光学装置を提供することにある。
【課題を解決するための手段】
【０００８】
上記の目的を達成するために、本発明は、付属ユニットを取付可能な光学装置において、付属ユニットを取付けるための取付ビスを収納可能な収納部を備えることを特徴とする。
【発明の効果】
【０００９】
本発明によれば、取付ビスの紛失を防ぐことができる。また、光学装置の操作において、その操作性を損なうことが無い極めて良好な光学装置を提供できる。
【図面の簡単な説明】
【００１０】
【図１】本発明の実施例１における光学装置の構成を示す斜視図
【図２】本発明の実施例１における光学装置の要部断面図
【図３】本発明の実施例１における光学装置の要部断面図
【図４】本発明の実施例２における光学装置の要部断面図
【図５】本発明の実施例３における光学装置の構成を示す斜視図
【図６】本発明の実施例３における光学装置の要部断面図
【図７】本発明の実施例４における光学装置の構成を示す斜視図
【図８】本発明の実施例４における光学装置の要部断面図
【発明を実施するための形態】
【００１１】
以下に、本発明の好ましい実施の形態を、添付の図面に基づいて詳細に説明する。図１から図８は本発明の実施形態にかかわる光学装置の説明図である。
【実施例１】
【００１２】
以下、図１から図３を参照して、本発明の第１の実施例による、光学装置について説明する。
【００１３】
図１に基づいて、光学装置１０１を詳細に説明する。光学装置１０１は、付属ユニットを取り付けるための取付部１０２と、付属ユニット取付ビスを収納するための収納部１０３と、前側保護キャップ１０４と、後側保護キャップ１０５と、操作環１０６から構成されている。
【００１４】
各構成について詳細に説明をする。取付部１０２は、光学装置１０１に少なくとも三カ所以上配置されており、光学装置１０１と付属ユニットを適切に取り付けることができる。収納部１０３は、付属ユニットを固定するための取付ビスを収納することができる。したがって光学装置１０１は、付属ユニットを取り付けることで機能を拡張し、操作性を向上することができる。前側保護キャップ１０４は、光学装置１０１の前側部に装着可能なキャップであって、光学装置の被写体側のレンズを保護することができる。後側保護キャップ１０５は、光学装置１０１の後側部に装着可能なキャップであって、光学装置とカメラを接続するマウント部を保護することができる。操作環１０６は、光学装置１０１の外周部に回転可能なリング形状で構成されていて、フォーカス操作環１０６Ａ・ズーム操作環１０６Ｂ・アイリス操作環１０６Ｃに代表される、光学装置の操作に必要な操作環が被写体側から配置されている。
【００１５】
このように、光学装置１０１の構成は、限られたスペースに取付部１０２や様々な種類の操作環１０６が配置されている。
【００１６】
図２に基づいて、取付部１０２を詳細に説明する。取付部１０２は、筺体３の外周部に取付ビス１と螺合できるビス穴２が形成されている。光学装置と付属ユニットの取付にビス結合を用いることで、十分な締結力を得ることができるため、付属ユニットを適切に取り付けることができる。
【００１７】
図３に基づいて、収納部１０３を詳細に説明する。収納部１０３は、光学装置１０１の外側から開閉可能なフタ５と、取付ビス１を螺合して固定できる板金４を、有する。板金４が固定できる取付ビス１の数は、光学装置１０１と付属ユニットの取付に必要な数以上である。取付に必要な数以上の取付ビス１を収納することができるため、使用者の紛失に備えて予備のビスも収納することができる。
【００１８】
使用者が取付部１０２に取付ビス１を収納することもできるが、近接する操作環１０６の操作の邪魔になる。取付ビス１を納める収納部１０３は、光学装置１０１の内部に配置されているので、使用者の邪魔になることがなく、操作性を損なうことはない。したがって、収納部１０３に取付ビス１を収納することは、光学装置１０１の操作に影響を与えないので、付属ユニットを取付け可能な光学装置１０１には好適な構造である。
【００１９】
また、光学装置１０１に適合した取付ビス１を提供することができるので、使用者が誤って取付ビス１と異なるビスを用いて取付部１０２を破損する可能性は低い。
【００２０】
以上の構成によって、取付ビスの紛失防止と使用者の操作性を両立することを可能にした、取付ビス収納部を設けた光学装置を提供することができる。
【００２１】
本実施例では、取付ビス１の収納に板金４を用いる構造について示したが、取付ビス１が収納部１０３の内部において、適切に螺合して固定できる構造であればよい。また、収納部１０３へのアクセス手段として、開閉可能なフタをあげたが、ゴムキャップのような使用者が簡単に開閉できて操作性が低下しない構造であればよい。
【実施例２】
【００２２】
以下、図１、図２、図４を参照して、本発明の第２の実施例による、光学装置について説明する。なお、本実施例の形態では第１の実施例と異なる部分についてのみ説明を行い、その他同一の部分については同一の符号を付し、説明を省略する。
【００２３】
図４に基づいて、収納部１０３を詳細に説明する。収納部１０３は、光学装置１０１の外側から開閉可能なフタ５と、取付ビス１を固定するための磁石６を有する。磁石６は、取付ビス１と引き合う関係にあり、取付ビス１を動かないように固定している。収納部１０３に磁石６を用いることで、収納時には適切に固定しながら、取出し時には工具を用いることなく簡単に取り出すことができる。なお、磁石６を収納部１０３に固定する方法は、接着などの公知の方法を用いることができる。
【００２４】
以上の構成によって、取付ビス１の紛失防止と使用者の操作性を両立することを可能にした、取付ビス収納部を設けた光学装置を提供することができる。
【００２５】
本実施例では、取付ビス１の収納に磁石６を用いる構造について示したが、粘着シートやゴムバンドなど、取付ビス１が収納部１０３の内部で固定できる構造であればよい。
【実施例３】
【００２６】
以下、図５、図６を参照して、本発明の第３の実施例による、光学装置について説明する。なお、本実施例の形態では第１の実施例と異なる部分についてのみ説明を行い、その他同一の部分については同一の符号を付し、説明を省略する。
【００２７】
図５に基づいて、光学装置１０７を詳細に説明する。光学装置１０７は、付属ユニットを取り付けるための取付部１０２と、前側保護キャップ１０４と、後側保護キャップ１０５と、操作環１０６と、付属ユニット取付ビスを収納するための収納部１０８から構成されている。
【００２８】
図６に基づいて、収納部１０８を詳細に説明する。収納部１０８は、ビス穴７が筺体８の外周部に配置され、取付ビス１を螺合して収納できる。ビス穴７の数は、光学装置１０７と付属ユニットの取付に必要な取付ビス１と同数以上である。取付に必要な数以上の取付ビス１を収納することができるため、使用者の紛失に備えて予備のビスも収納することができる。また、ビス穴７は、操作の邪魔にならない範囲の外装部に配置されているため、使用者が取付ビスの存在を容易に認識することができる。
【００２９】
以上の構成によって、取付ビス１の紛失防止と使用者の操作性を両立することを可能にした、取付ビス収納部を設けた光学装置を提供することができる。
【００３０】
本実施例では、筺体８に形成したビス穴７に取付ビス１を収納する構造について示したが、前玉保護キャップ１０４やマウント保護キャップ１０５にビス穴を形成するなど、取付ビス１を螺合して収納できる構造であればよい。
【実施例４】
【００３１】
以下、図７、図８を参照して、本発明の第４の実施例による、光学装置について説明する。なお、本実施例の形態では第３の実施例と異なる部分についてのみ説明を行い、その他同一の部分については同一の符号を付し、説明を省略する。
【００３２】
図８に基づいて、光学装置１０７を詳細に説明する。光学装置１０９は、光学装置１０９を手動で操作することができる操作環１０６と、操作環１０６の操作を補助するための操作ピン１１０を、有する。光学装置１０９は操作環１０６を回転することで、使用者が所望するフォーカス位置に調整することができる。操作ピン１１０は、操作環１０６に螺合して結合されており、操作環１０６の操作を補助することができる。
【００３３】
図８に基づいて、操作ピン１１０を詳細に説明する。操作ピン１１０は、複数の取付ビス９から構成されている。取付ビス９は、対向した面にネジ部とビス穴が構成されていて、互いに螺合することで一体となる。一体となった操作ピン１１０は、操作環１０６に形成されたビス穴１０と螺合する。また、取付ビス１０は、光学装置１０９と付属ユニットの取付ビスとしても用いることができる。
【００３４】
したがって、取付ビス９は、付属ユニットを使用する時は、付属ユニットの取付に用いることができ、付属ユニットを使用しない時は、操作ピンとして用いることができる。さらに使用者が取付ビス９を不要とする機会が減るので、紛失防止に役立つ。
【００３５】
以上の構成によって、取付ビス９の紛失防止と使用者の操作性を両立することを可能にした、光学装置を提供することができる。
【００３６】
本実施例では、操作環１０６はフォーカス位置の調整を行う構造について示したが、アイリス操作やズーム操作など、光学装置１０９を操作可能な構造であればよい。
【符号の説明】
【００３７】
１０１  光学装置、１０２  付属ユニットとの係合部、１０３  取付ビス収納部、
１０４  前玉保護キャップ、１０５  マウント保護キャップ、１０６  操作環、
１０６Ａ  フォーカス操作環、１０６Ｂ  ズーム操作環、１０６Ｃ  アイリス操作環、
１０７  光学装置、１０８  取付部・断面図、１０９  光学装置、１１０  操作ピン、
１  ビス、２  ビス穴、３  筺体、４  板金、５  フタ、６  磁石、６ａ  Ｎ極、
６ｂ  Ｓ極、７  ビス穴、８  筺体、９  取付ビス、１０  取付ビス穴
【図１】
2016128857.tif 000003
【図２】
2016128857.tif 000004
【図３】
2016128857.tif 000005
【図４】
2016128857.tif 000006
【図５】
2016128857.tif 000007
【図６】
2016128857.tif 000008
【図７】
2016128857.tif 000009
【図８】
2016128857.tif 000010